(57)【特許請求の範囲】
【請求項１】
複数の表示項目を表示する表示手段と、
複数の前記表示項目のうち、いずれか一つを選択表示項目として選択するための項目選択手段と、
前記項目選択手段で選択された表示項目を確定する項目確定手段と、
前記表示手段に表示され、前記選択表示項目が前記項目選択手段で選択されてから前記項目確定手段で確定されるまでの間に、前記選択表示項目に関する項目情報を前記表示項目の一部に重ねて表示する情報表示手段と、
調理を実施する調理手段と、
前記調理手段に調理の開始を指示する調理開始指示手段と、を備え、
前記情報表示手段は、前記選択表示項目が前記項目選択手段で選択されてから所定期間経過後に前記項目情報を表示し、他の表示項目が選択されると既に表示された項目情報を消去し、
前記調理手段は、前記項目情報の表示前または表示後に関わらず、前記調理開始指示手段に入力があると、前記項目選択手段で選択された前記選択表示項目に対応する調理を実施することを特徴とする加熱調理器。
【請求項２】
前記表示手段に表示され、前記項目情報を内側に含む枠表示部をさらに備えることを特徴とする請求項１記載の加熱調理器。
【請求項３】
前記項目情報は、前記複数の表示項目のうち前記選択表示項目およびこの選択表示項目に隣接する非選択の表示項目に重ねて表示され、前記項目情報と前記選択表示項目とを関連付ける情報表示指示手段を有することを特徴とする請求項１または２記載の加熱調理器。
【請求項４】
前記表示項目は、階層化された複数の階層の下位表示項目を有し、
前記情報表示手段は、いずれかの表示項目が確定されると、この確定された表示項目の下位表示項目を表示することを特徴とする請求項１から３のいずれか一項記載の加熱調理器。
【請求項５】
前記情報表示手段は、前記表示手段に表示される前記表示項目の数が少なく前記表示手段の表示領域に空き領域があるとき、いずれかの表示項目が選択されると、前記空き領域に前記項目情報を表示することを特徴とする請求項４記載の加熱調理器。
【請求項６】
前記表示項目は、調理メニューおよび複数の調理メニューのまとまりを示す調理グループ名を有し、
前記調理メニューが選択されているとき、前記調理開始指示手段に入力があると前記調理手段は調理を実施することを特徴とする請求項１から５のいずれか一項記載の加熱調理器。
【請求項７】
前記項目情報は、前記調理メニューが選択されているとき、使用者に操作を指示する指示情報を含むことを特徴とする請求項１から６のいずれか一項記載の加熱調理器。
【請求項８】
前記指示情報は、選択されている調理メニューに用いる付属品の情報を含むことを特徴とする請求項７記載の加熱調理器。
【請求項９】
前記指示情報は、前記付属品を取り付ける位置を示す画像を含むことを特徴とする請求項８記載の加熱調理器。
【発明の詳細な説明】
【技術分野】
【０００１】
本発明は、調理室内に収納された調理物を加熱調理する加熱調理器に関する。
【背景技術】
【０００２】
表示手段に表示された例えば調理メニューなどの表示項目を選択することにより、調理の内容を選択および確定する加熱調理器が公知である。例えば、特許文献１には、表示手段に表示されている階層化された項目を順次選択することにより、目的の調理メニューを選択可能な加熱調理器が開示されている。また、特許文献２および特許文献３には、調理メニューを確定することにより、表示手段に調理に使用する付属品の情報や調理方法などの種々の情報を順次表示する加熱調理器が開示されている。
【特許文献１】特開２００３−２１４６２６号公報
【特許文献２】特開２００１−３５５８４５号公報
【特許文献３】特開２００５−  ３７０６６号公報
【発明の開示】
【発明が解決しようとする課題】
【０００３】
しかしながら、特許文献１に開示されているように表示項目を階層的に表示する加熱調理器の場合、各表示項目に詳細な説明が表示されないと、適切な項目の選択が困難になる。一方、各表示項目に詳細な説明を表示すると、説明を表示するための広い領域が必要となったり、文字を小さくして表示する必要がある。
【０００４】
また、特許文献１または特許文献２に開示されている加熱調理器の場合、調理メニューが確定しない限り詳細な説明は表示されない。そのため、詳細な説明を取得するためには調理メニューを一旦確定する必要がある。一方、調理メニューを一旦確定した後に調理メニューを変更したい場合、例えば「戻る」キーの操作などを必要とし、操作が煩雑になるという問題がある。
【０００５】
本発明は、上記の事項を鑑みてなされたものであり、その目的は、表示手段の大型化および表示される文字の小型化を招くことなく、複数の表示項目から所望の項目を選択する操作が容易な加熱調理器を提供することにある。
【課題を解決するための手段】
【０００６】
本発明の加熱調理器は、複数の表示項目を表示する表示手段と、複数の前記表示項目のうち、いずれか一つを選択表示項目として選択するための項目選択手段と、前記項目選択手段で選択された表示項目を確定する項目確定手段と、前記表示手段に表示され、前記選択表示項目が前記項目選択手段で選択されてから前記項目確定手段で確定されるまでの間に、前記選択表示項目に関する項目情報を前記表示項目の一部に重ねて表示する情報表示手段と、調理を実施する調理手段と、前記調理手段に調理の開始を指示する調理開始指示手段と、を備え、前記情報表示手段は、前記選択表示項目が前記項目選択手段で選択されてから所定期間経過後に前記項目情報を表示し、他の表示項目が選択されると既に表示された項目情報を消去し、前記調理手段は、前記項目情報の表示前または表示後に関わらず、前記調理開始指示手段に入力があると、前記項目選択手段で選択された前記選択表示項目に対応する調理を実施することを特徴とする。
【発明の効果】
【０００７】
複数の表示項目からいずれか一つの選択表示項目が選択されると、この選択表示項目が選択されてから確定されるまでの間に、選択表示項目に関する項目情報が表示される。そのため、使用者は、選択表示項目を選択してから確定する前に、その選択表示項目に関する詳細な説明を項目情報として取得する。その結果、使用者は、複雑な操作を経ることなく、所望の表示項目にたどり着く。このとき、項目情報は、複数の表示項目の一部に重ねて表示される。これにより、項目情報を表示するための領域を別途確保する必要がないとともに、項目情報を表示するための領域が拡大する。したがって、表示手段の大型化および説明のための文字の小型化を招くことなく、複数の表示項目から所望の項目を容易に選択することができる。
【発明を実施するための最良の形態】
【０００８】
以下、本発明による加熱調理器の複数の実施形態を図面に基づいて説明する。なお、複数の実施形態において実質的に同一の構成部位には同一の符号を付し、説明を省略する。
（第１の実施形態）
本発明の第１の実施形態による加熱調理器としての電子レンジを図１に示す。電子レンジ１０は、キャビネット１１を備えている。キャビネット１１は、矩形箱状をなすものであり、内部に空間状の調理室を形成している。このキャビネット１１の前板には出入口１２が形成されている。調理される食品は、出入口１２を通して外部から調理室の内部へ投入され、出入口１２を通して調理室の内部から外部へ取り出される。このキャビネット１１には、扉１３が装着されている。扉１３は、出入口１２を閉鎖する垂直な閉鎖状態または出入口を開放する水平な開放状態の相互間で下端部の水平な軸１４を中心に回動可能に設けられている。
【０００９】
キャビネット１１の内部には、レンジ調理ユニット１５、グリル調理ユニット１６、オーブン調理ユニット１７、およびスチーム調理ユニット１８が収納されている。レンジ調理ユニット１５は、調理室の内部にマイクロ波を照射することにより、調理室の内部に収容された食品を加熱調理する。レンジ調理ユニット１５は、マイクロ波を発振するマグネトロン２１（図２参照）、およびマグネトロン２１から発振されたマイクロ波を調理室の内部に照射する導波管を有している。グリル調理ユニット１６は、調理室の内部に輻射熱を照射することにより、調理室の内部に収容された食品を加熱調理する。グリル調理ユニット１６は、調理室の内部において天井側に設けられたグリルヒータ２２（図２参照）、およびグリルヒータ２２から放出された輻射熱を下方へ反射する反射板を有している。
【００１０】
オーブン調理ユニット１７は、調理室の内部に熱風を循環させることにより、調理室の内部に収容された食品を加熱調理する。オーブン調理ユニット１７は、調理室の内部に空気を循環させるためのファン、ファンを回転駆動するファンモータ２３（図２参照）、およびファンから吐出された空気を加熱して温風とするオーブンヒータ２４（図２参照）を有している。スチーム調理ユニット１８は、調理室の内部に過熱水蒸気を注入することにより、調理室の内部に収容された食品を加熱調理する。スチーム調理ユニット１８は、中空状の蒸気生成容器、蒸気生成容器の内部に水を注入するためのインペラ、インペラを回転駆動するポンプモータ２５、および蒸気生成容器内の水を加熱することにより過熱水蒸気を生成するスチームヒータ２６を有する。スチームヒータ２６が生成した加熱水蒸気は、蒸気生成容器の内部から蒸気生成容器の噴水口を通して調理室の内部へ吐出される。レンジ調理ユニット１５、グリル調理ユニット１６、オーブン調理ユニット１７およびスチーム調理ユニット１８は、特許請求の範囲の調理手段を構成している。
【００１１】
キャビネット１１の内部には、図２に示すように制御回路３０が設けられている。制御回路３０は、ＣＰＵ３１、ＲＯＭ３２、ＲＡＭ３３およびＥＥＰＲＯＭ３４などを有するマイクロコンピュータを主体として構成されている。また、制御回路３０は、タイマ回路３５を有している。このタイマ回路３５は、一定の時間間隔でパルス信号を出力する。ＣＰＵ３１は、タイマ回路３５から出力されるパルス信号に基づいて計時動作を実施する。
【００１２】
制御回路３０には、マグネトロン駆動回路４１を経由してマグネトロン２１が接続され、ヒータ駆動回路４２を経由してグリルヒータ２２が接続され、モータ駆動回路４３を経由してファンモータ２３が接続され、ヒータ駆動回路４４を経由してオーブンヒータ２４が接続され、モータ駆動回路４５を経由してポンプモータ２５が接続され、ヒータ駆動回路４６を経由してスチームヒータ２６が接続されている。制御回路３０のＣＰＵ３１は、マグネトロン２１、グリルヒータ２２、ファンモータ２３、オーブンヒータ２４およびスチームヒータ２６のそれぞれを駆動制御することにより、調理室の内部に収容された食品を加熱調理する。
【００１３】
制御回路３０には、温度センサ５１および赤外線センサ５２が接続されている。温度センサ５１は、調理室の内部の温度を検出する。赤外線センサ５２は、調理対象となる食品の表面温度を検出する。制御回路３０は、レンジ調理、グリル調理またはスチーム調理を実施するとき、温度センサ５１からの出力信号および赤外線センサ５２からの出力信号の双方に基づいて調理内容を制御する。制御回路３０には、扉センサ５３が接続されている。扉センサ５３は、扉３の閉鎖状態または扉５の開放状態で電気的な状態が変化する。これにより、制御回路３０は、扉センサ５３からの出力信号に基づいて扉３が閉鎖状態または開放状態のいずれにあるかを判断する。
【００１４】
制御回路３０には、電源回路３６が接続されている。電源回路３６は、商用交流電源を直流電源に変換する。制御回路３０には、電源回路３６から駆動電源が供給される。電源回路３６の給電路には、図示しない電源スイッチおよび電源リレーが設けられている。電源スイッチは、扉３の閉鎖状態でオフとなり、扉３の開放状態でオンとなる。電源スイッチがオフになっている扉３の閉鎖状態で扉３が開放されると、電源スイッチがオンされる。これにより、電源回路３６から制御回路３０へ駆動電源が供給され、制御回路３０が起動する。制御回路３０は、起動直後の電源投入処理で電源リレーをオンする。これにより、電源リレーがオン状態のとき、扉３が閉鎖されても電源回路３６から制御回路３０へ駆動電流が供給される。
【００１５】
扉３には、図１に示すように、操作パネル６０が設けられている。操作パネル６０は、扉３の下端面に沿って左右方向へ伸びる横長な長方形状に形成されている。操作パネル６０には、左摘み６１および右摘み６２が設けられている。これら左摘み６１および右摘み６２は、それぞれ前後方向へ伸びる軸に沿って前方のオフ位置および後方のオン位置の相互間で直線的に移動可能である。そして、左摘み６１および右摘み６２は、リターンスプリングのばね力によって前方のオフ位置に保持されている。左摘み６１および右摘み６２は、それぞれリターンスプリングのばね力に抗してオフ位置からオン位置へ押圧操作される。これにより、左摘み６１および右摘み６２は、操作力が消滅すると、リターンスプリングのばね力によってオン位置からオフ位置へ自己復帰する。右摘み６２は、特許請求の範囲の項目選択手段および項目確定手段を構成している。
【００１６】
左摘み６１の後方には左スイッチ６３（図２参照）が配置され、右摘み６２の後方には右スイッチ６４（図２参照）が配置されている。これら左スイッチ６３および右スイッチ６４は、それぞれ自己復帰形のプッシュスイッチである。左スイッチ６３は前方の左摘み６１がオフ位置に保持された状態でオフされ、右スイッチ６４は前方の右摘み６２がオフ位置に保持された状態でオフされる。これら左スイッチ６３および右スイッチ６４は、それぞれ制御回路３０に接続されている。左スイッチ６３は、前方の左摘み６１がオフ位置からオン位置に押圧操作されることによりオンされる。右スイッチ６４は、前方の右摘み６２がオフ位置からオン位置に押圧されることによりオンされる。
【００１７】
左摘み６１および右摘み６２は、それぞれ軸を中心に時計回り方向および反時計回りの方向の双方に回動可能である。左摘み６１は左エンコーダ６５（図２参照）のシャフトに連結され、右摘み６２は右エンコーダ６６（図２参照）のシャフトに連結されている。これらの左エンコーダ６５および右エンコーダ６６は、それぞれロータリエンコーダから構成されている。これにより、左エンコーダ６５のシャフトは、左摘み６１が時計回り方向および反時計回り方向のそれぞれに回動操作されることにより、その回動方向へ回動操作される。同様に、右エンコーダ６６のシャフトは、右摘み６２が時計回り方向および反時計回り方向のそれぞれに回動操作されることにより、その回動方向へ回動操作される。左エンコーダ６５および右エンコーダ６６は、それぞれ制御回路３０に接続されている。制御回路３０は、左エンコーダ６５からの出力信号に基づいて左摘み６１の操作方向および操作量をそれぞれ検出し、右エンコーダ６６からの出力信号に基づいて右摘み６２の操作方向および操作量をそれぞれ検出する。
【００１８】
操作パネル６０には、左レンズ６７および右レンズ６８が装着されている。これらの左レンズ６７および右レンズ６８は、それぞれ透明な合成樹脂を材料に形成されている。左レンズ６７は、左摘み６１を取り囲む円環状に形成されている。右レンズ６８は、右摘み６２を取り囲む円環状に形成されている。これらの左レンズ６７の後方および右レンズ６８の後方には、それぞれ複数の電飾ＬＥＤ６９（図２参照）が配置されている。左レンズ６７および右レンズ６８は、それぞれ後方の電飾ＬＥＤ６９が点灯することにより照明される。
【００１９】
操作パネル６０には、スタートキー７１および取消キー７２が設けられている。スタートキー７１の後方にはスタートスイッチ７３（図２参照）が配置され、取消キー７２の後方には取消スイッチ７４（図２参照）が配置されている。これらスタートスイッチ７３および取消スイッチ７４はそれぞれ自己復帰形のプッシュスイッチである。スタートスイッチ７３は、前方のスタートキー７１に操作力が作用していない状態でオフされる。取消スイッチ７４は、前方の取消キー７２に操作力が作用していない状態でオフされる。スタートスイッチ７３および取消スイッチ７４は、それぞれ制御回路３０に接続されている。スタートスイッチ７３は前方のスタートキー７１が後方へ押圧操作されることによりオンされ、取消スイッチ７４は前方の取消キー７２が後方へ押圧操作されることによりオンされる。スタートキー７１およびスタートスイッチ７３は、特許請求の範囲の調理開始指示手段を構成している。
【００２０】
操作パネル６０には、左摘み６１の左方に表示手段としてドットマトリクス形の液晶表示器８０が設けられている。ドットマトリクス形の液晶表示器８０を用いることにより、液晶表示器８０には文字および画像がドット表示される。液晶表示器８０は、制御回路３０にＬＣＤ駆動回路４７を経由して接続されている。制御回路３０は、左摘み６１、右摘み６２、スタートキー７１および取消キー７２のそれぞれの操作内容に応じた文字および画像を液晶表示器８０に表示する。また、制御回路３０には、ブザー駆動回路４８を経由してブザー２７が接続されている。ブザー２７は、キャビネット１１の内部に設けられている。制御回路３０は、ブザー２７の鳴動によって使用者に情報を報知する。制御回路３０および液晶表示器８０は、特許請求の範囲の情報表示手段を構成している。
【００２１】
次に、上述の構成による電子レンジ１０の作動と、図３に基づいて液晶表示器８０に表示される表示内容とについて説明する。液晶表示器８０に表示される表示内容をはじめとする電子レンジ１０の各部は、ＲＯＭ３２に記録された制御プラグラムにしたがって制御される。
【００２２】
使用者が電子レンジ１０の電源をオンすると、液晶表示器８０には所定の画像が表示される。例えば、制御回路３０が停止状態にあるとき、使用者が扉３を閉鎖状態から開放状態に操作することにより、扉センサ５３がオンされる。これにより、電源回路３６から制御回路３０へ駆動電源が供給され、制御回路３０は起動する。すると、制御回路３０のＣＰＵ３１は、電源リレーをオンにし、電源が確保される。ＣＰＵ３１は、電源リレーをオンすると、ＥＥＰＲＯＭ３４に記録されている例えば電飾機能および報知機能などの設定、ならびに液晶表示器８０に表示される初期画面の設定などを読み込み、読み込んだ設定に基づいて各部を制御する。
【００２３】
使用者が調理の対象となる食材の種類に応じて自動的に調理を行うオート調理メニューを選択したとき、ＣＰＵ３１は液晶表示器８０に図３（ａ）に示すような画像を表示する。オート調理メニューの選択は、例えば右摘み６２を操作することにより実施される。このとき、ＣＰＵ３１は、液晶表示器８０にタイトル表示部８１および複数の表示項目８２、８３、８４を表示する。最上行のタイトル表示部８１は、グループ分けされている調理メニューのグループ名を表示する。そして、ＣＰＵ３１は、タイトル表示部８１の下方の表示項目８２、８３、８４に調理メニューを表示する。例えばタイトル表示部８１にグループ名として「焼き物（肉）」が表示されているとき、表示項目８２には調理メニューとして「網焼きポーク」、表示項目８３には「ハンバーグ」、表示項目８４には「牛肉のパイ包み焼き」の三つメニュー名がそれぞれ表示される。
【００２４】
図３（ａ）に示すように、液晶表示器８０にタイトル表示部８１および表示項目８２、８３、８４が表示されている状態で使用者が右摘み６２を時計方向または反時計方向に回動させると、ＣＰＵ３１は表示項目のいずれかの調理メニューを選択する。すなわち、右摘み６２を回動させることにより、ＣＰＵ３１は表示項目のいずれか一つを陰陽が反転した選択表示項目として表示する。図３（ａ）に示す液晶表示器８０の表示の場合、調理メニューのうち「ハンバーグ」が陰陽の反転した選択表示項目である。右摘み６２を回動させることにより、陰陽が反転した選択表示項目は上下に移動する。
【００２５】
任意の表示項目を選択すなわち選択表示項目が選択された状態のまま右摘み６２の回動にともなう入力がないと、ＣＰＵ３１は図３（ｂ）に示すように液晶表示器８０に項目情報８５を表示する。本実施形態の場合、右摘み６２に３秒以上入力がないとき、ＣＰＵ３１は項目情報８５を表示する。このとき、項目情報８５は、選択表示項目である表示項目８３および他の非選択の表示項目８２、８４の一部に重なって表示される。ＣＰＵ３１は、タイマ回路３５から右摘み６２に入力がない期間を取得する。
【００２６】
項目情報８５は、枠表示部８６の内側に含まれている。選択された表示項目８３と枠表示部８６とは、情報表示指示手段である吹き出し８７によって関連付けられている。枠表示部８６は、内側に項目情報８５を含んでいる。すなわち、選択された表示項目８３は、吹き出し８７を経由して枠表示部８６の内側に表示された項目情報８５と関連付けられる。これにより、項目情報８５が表示項目８３および他の非選択の表示項目８２、８４の一部に重なって表示される場合でも、項目情報８５は選択された表示項目８３の説明であることが容易に認識される。
【００２７】
項目情報８５は、使用者に調理に必要な操作を指示する指示情報８８として文字および画像を含んでいる。図３（ｂ）に示す項目情報８５の場合、指示情報８８として付属品としての種類および位置ならびに予熱の有無に関する文字８８１と、付属品の設置位置に関する画像８８２とを含んでいる。具体的には、文字８８１として付属品の種類を示す「焼網」および付属品の設置位置を示す「下」の各文字と、その下方に予熱の有無を示す「予熱あり」の文字が表示される。また、画像８８２として、付属品の「焼網」を下段に設置することを説明するイラストが表示される。
【００２８】
一方、表示項目８３が選択されてから３秒以内に右摘み６２に入力があったとき、または項目情報８５が表示された後に右摘み６２に入力があると、ＣＰＵ３１は選択表示項目を変更する。すなわち、右摘み６２に入力があると、選択表示項目は図３（ｃ）に示すように「ハンバーグ」を示す表示項目８３から「牛肉のパイ包み焼き」を示す表示項目８４へ移動し、「牛肉のパイ包み焼き」を示す表示項目８４の陰陽が反転する。
【００２９】
表示項目８４に変更されてから右摘み６２への入力のない状態が所定の期間継続すると、すなわち本実施形態では選択表示項目が「牛肉のパイ包み焼き」を示す表示項目８４に変更されてから３秒が経過すると、ＣＰＵ３１は図３（ｄ）に示すように液晶表示器８０に項目情報８５を表示する。ここでも、項目情報８５は、枠表示部８６の内側に含まれるとともに、吹き出し８７によって選択された表示項目８４に関連付けられている。
【００３０】
図３（ｄ）に示す項目情報８５の場合、付属品の種類を示す「角皿」および付属品の設置位置を示す「中」の文字と、その下方に予熱の有無を示す「予熱あり」の文字とが表示される。また、画像として、付属品の「角皿」を中段に設置することを説明するイラストが表示される。
【００３１】
上述した図３（ａ）または図３（ｂ）に示す状態でスタートキー７１を操作することにより、調理メニューとして「ハンバーグ」が確定する。したがって、ＣＰＵ３１は、あらかじめ設定されている所定のプログラムに基づいて「ハンバーグ」の調理を開始する。また、図３（ｃ）または図３（ｄ）に示す状態でスタートキー７１を操作することにより、調理メニューとして「牛肉のパイ包み焼き」が確定する。したがって、ＣＰＵ３１は、所定のプログラムに基づいて「牛肉のパイ包み焼き」の調理を開始する。
【００３２】
以上説明した第１の実施形態は次の効果を奏する。
液晶表示器８０には、複数の表示項目８２、８３、８４のうち選択された一つの選択表示項目の詳細な説明が項目情報８５として表示される。そのため、調理メニューを選択する操作の段階において、調理メニューを確定する前に調理メニューの詳細が使用者に伝えられる。したがって、使用者は、調理メニューを容易に選択したり確定したりすることができる。なお、液晶表示器８０は、表示項目８２、８３、８４のうちいずれかを選択表示項目として選択した際に、項目情報８５が表示されることにより、当該選択表示項目の確定前に、使用者が項目情報８５を認識できるように構成されていればよく、確定後に継続して項目情報８５が表示される構成としてもよい。
【００３３】
項目情報８５は、選択された表示項目およびこれに隣接する非選択の他の表示項目に重ねて表示される。そのため、項目情報８５を表示するために専用の表示領域を、液晶表示器８０とは別に確保する必要がない。また、項目情報８５を表示するための領域が十分に確保されるため、指示情報８８として表示される文字８８１および画像８８２の大きさは十分に確保される。したがって、液晶表示器８０の大型化を招くことなく、大きな文字で必要かつ十分な項目情報８５を提供することができるともに、提供された項目情報８５の認識を容易にすることができる。
【００３４】
項目情報８５は、枠表示部８６の内側に含まれ、枠表示部８６と選択された表示項目との間は吹き出し８７によって関連付けられている。そのため、選択された表示項目の項目情報８５を選択された表示項目およびこの選択された表示項目に隣接する非選択の他の表示項目に重ねて表示する場合でも、いずれの表示項目に関する項目情報８５であるかを使用者は容易に認識することができる。また、項目情報８５を選択された表示項目だけでなく隣接する非選択の他の表示項目に重ねて表示することにより、項目情報８５を表示可能な領域が拡大する。したがって、より分かりやすく、より多くの情報を表示することができる。
【００３５】
項目情報８５は、選択された表示項目が選択されてから右摘み６２に入力のない状態が所定の期間、例えば３秒が経過すると、表示される。また、選択された表示項目に対応する項目情報８５が表示された後、表示項目の選択が変更されると、先に選択された表示項目に対応する項目情報８５の表示が一旦非表示にされ、新たに表示項目が選択されて所定の期間が経過した後に新たな表示項目対応する項目情報８５が表示される。そのため、使用者が電子レンジ１０の使用に慣れ、項目情報８５を参照せずに調理を開始できるようになると、不要な項目情報８５を見ることなく調理の開始が可能となる。したがって、操作を簡素化することができ、不要な画像が表示される煩わしさを低減することができる。さらに、項目情報８５は、いずれかの表示項目を選択してから所定の期間が経過すると自動的に表示される。そのため、項目情報８５を見るために別途の操作を必要としない。さらに、項目情報８５が表示されているとき、右摘み６２を回動し表示項目の選択を変更すると、先に選択された表示項目に対応する項目情報８５は一旦消去される。そのため、例えば取消キーや戻るキーなどの操作を必要としない。したがって、操作を簡略化することができる。
【００３６】
項目情報８５は、付属品の種類および取り付け位置などを使用者に指示するための文字８８１および画像８８２を指示情報８８として含んでいる。そのため、使用者は、付属品の種類および取り付け位置を、項目情報８５として表示された指示情報８８に基づいて容易に認識可能である。したがって、付属品の種類の誤り、および取り付け位置の誤りを防止することができる。
【００３７】
（第２の実施形態）
図４を参照して、本発明の第２の実施形態による電子レンジ１０の作動について説明する。
第２の実施形態による電子レンジ１０は、階層化された表示項目を有している。使用者が電子レンジ１０に予め設定されているプログラムに応じて自動的に調理を行うオートメニューを選択したとき、ＣＰＵ３１は液晶表示器８０に図４（ａ）に示すような画像を表示する。オートメニューの選択は、第１の実施形態と同様に例えば右摘み６２を操作することにより実施される。このとき、ＣＰＵ３１は、液晶表示器８０にタイトル表示部８１および複数の表示項目９２〜９４を表示する。最上行のタイトル表示部８１には、オートメニュが選択されたことを示す「オートメニュー」の文字が表示される。そして、ＣＰＵ３１は、タイトル表示部８１の下方の各表示項目９２〜９５に調理グループ名を表示する。調理グループ名は、調理メニューのまとりまりを示すものである。具体的には、例えば図４（ａ）に示すように調理グループ名として、表示項目９２には「お気に入り」、表示項目９３には「食材から」、表示項目９４には「料理集から」、そして表示項目９５には「目的・効果」などが表示される。
【００３８】
図４（ａ）に示すように、液晶表示器８０にタイトル表示部８１および表示項目９２が表示されている状態で使用者が右摘み６２を時計方向または反時計方向に回動させると、ＣＰＵ３１は表示項目９２〜９５のいずれかの調理グループ名を選択する。すなわち、右摘み６２を回動させることにより、ＣＰＵ３１は表示項目９２〜９５のいずれか一つを陰陽が反転した選択表示項目として表示する。図４（ａ）に示す液晶表示器８０の場合、調理グループ名のうち「お気に入り」が表示された表示項目９２は陰陽が反転した選択表示項目である。右摘み６２を回動させることにより、陰陽が反転した選択表示項目は時計回りまたは反時計回りに移動する。
【００３９】
図４（ａ）に示す液晶表示器８０の場合、最下行にはタイトル表示および調理グループ名が表示されない。そのため、液晶表示器８０の最下行は、空き領域となる。このように液晶表示器８０に空き領域があるとき、複数の表示項目９２〜９５からいずれかの表示項目を選択表示項目として選択すると、ＣＰＵ３１は選択された表示項目に対応する項目情報９６を最下行の空き領域に表示する。本実施形態の場合、調理グループ名を選択すると、すぐに液晶表示器８０の最下行に項目情報９６が表示される。具体的には、「お気に入り」が表示されている表示項目９２を選択したとき、液晶表示器８０の最下行には「お気に入り」を説明する項目情報９６として「！できあがりが気に入ったら」という文字が表示される。
【００４０】
このように、右摘み６２を回動させることにより、複数の表示項目９２〜９５のいずれかを選択表示項目として選択すると、選択された表示項目の陰陽が反転するとともに、液晶表示器８０の最下行に、選択された表示項目に対応する項目情報９６が表示される。表示項目の選択から項目情報９６が表示されるまでの期間は、任意に設定することができる。
【００４１】
「お気に入り」が表示されている表示項目９２を選択している状態で右摘み６２を回動することにより、図４（ｂ）に示すように「料理集から」が表示されている表示項目９４が選択される。このとき、液晶表示器８０の最下行には、表示項目９４の「料理集から」を説明する項目情報９６として「！調理集を見ながら」という文字が表示される。このように、使用者は、液晶表示器８０の最下行に表示された項目情報９６を参照することにより、選択した表示項目を確定するか否かを判断することができる。
【００４２】
「料理集から」が表示されている表示項目９４を選択しているとき、使用者が右摘み６２を押し込むことにより、ＣＰＵ３１は表示項目９４の選択が確定したと判断する。これにより、ＣＰＵ３１は、表示項目９４に対応する下位階層の表示項目を液晶表示器８０に表示する。具体的には、図４（ｂ）に示す画面において「料理集から」が表示されている表示項目９４を選択すると、図４（ｃ）に示すように液晶表示器８０のタイトル表示部８１には「料理集から」の文字が表示される。そして、タイトル表示部８１の下方には、表示項目として複数の調理グループ名が表示される。この図４（ｃ）に示す液晶表示器８０の画面に表示される調理グループ名は、図４（ｂ）に示す液晶表示器８０の画面に表示される調理グループ名の下位階層に属する下位項目情報である。具体的には、表示項目１０１に「のみもの」、表示項目１０２に「ゆでもの」、表示項目１０３に「焼き物（魚）」、表示項目１０４に「生解凍」、表示項目１０５に「焼き物（肉）」、および表示項目１０６に「焼き物（野菜）」が表示される。
【００４３】
図４（ａ）に示す場合と同様に、右摘み６２を時計方向または反時計方向へ回動することにより、図４（ｄ）に示すように複数の表示項目１０１〜１０６から選択される表示項目は移動する。そして、図４（ｄ）に示すように複数の表示項目１０１〜１０６から「焼き物（肉）」が表示されている表示項目１０５を選択しているとき、使用者が右摘み６２を押し込むことにより、ＣＰＵ３１は表示項目１０５の選択が確定したと判断する。これにより、ＣＰＵ３１は、表示項目１０５に対応するさらに下位階層の表示項目を液晶表示器８０に表示する。具体的には、図４（ｄ）に示す画面において「焼き物（肉）」が表示された表示項目１０５を選択すると、図４（ｅ）に示すように液晶表示器８０のタイトル表示部８１には「焼き物（肉）」の文字が表示される。そして、タイトル表示部８１の下方には、表示項目として複数の調理メニューが表示される。タイトル表示部８１に「焼き物（肉）」が表示されているとき、図３に示す第１の実施形態と同様に表示項目８２には調理メニューとして「網焼きポーク」、表示項目８３には「ハンバーグ」、および表示項目８４には「牛肉のパイ包み焼き」が表示される。
【００４４】
図４（ｅ）に示すように、液晶表示器８０にタイトル表示部８１および表示項目８２、８３、８４が表示されている状態で使用者が右摘み６２を時計方向または反時計方向に回動させると、ＣＰＵ３１は表示項目８２、８３、８４のいずれかの調理メニューを選択する。すなわち、右摘み６２を回動させることにより、ＣＰＵ３１は表示項目８２、８３、８４のいずれか一つを陰陽が反転した選択表示項目として表示する。図４（ｅ）に示す液晶表示器８０の場合、調理メニューのうち「ハンバーグ」が陰陽の反転した選択表示項目である。右摘み６２を回動させることにより、陰陽が反転した選択表示項目は上下に移動する。
【００４５】
任意の項目を選択すなわち選択表示項目が選択された状態で右摘み６２の回動にともなう入力がないと、ＣＰＵ３１は図４（ｆ）に示すように液晶表示器８０に項目情報８５を表示する。本実施形態の場合、右摘み６２に３秒以上の入力がないとき、ＣＰＵ３１は項目情報８５を表示する。項目情報８５は、上述した第１の実施形態と同様に選択表示項目および他の非選択の表示項目の少なくとも一部に重なって表示される。
【００４６】
項目情報８５は上述の第１の実施形態と同様に枠表示部８６の内側に含まれ、選択された表示項目８３と枠表示部８６とは情報表示指示手段である吹き出し８７によって関連付けられている。項目情報８５は、指示情報８８として文字８８１および画像８８２を含んでいる。項目情報８５の詳細は、第１の実施形態と実質的に同一であるので説明を省略する。
【００４７】
表示項目８３が選択されてから３秒以内に右摘み６２に入力があったとき、または項目情報８５が表示された後に右摘み６２に入力があると、ＣＰＵ３１は選択表示項目を変更する。すなわち、右摘み６２に入力があると、選択表示項目は図４（ｇ）に示すように「ハンバーグ」を示す表示項目８３から「牛肉のパイ包み焼き」を示す表示項目８４へ移動し、「牛肉のパイ包み焼き」を示す表示項目８４の陰陽が反転する。
【００４８】
表示項目８４に変更されてから右摘み６２への入力のない状態が所定の期間継続すると、すなわち本実施形態では選択表示項目が「牛肉のパイ包み焼き」を示す表示項目８４に変更されてから３秒が経過すると、ＣＰＵ３１は図４（ｈ）に示すように液晶表示器８０に項目情報８５を表示する。ここでも、項目情報８５は、枠表示部８６の内側に含まれるとともに、吹き出し８７によって選択された表示項目８４に関連付けられている。項目情報８５の詳細は、第１の実施形態と実質的に同一であるので説明を省略する。
【００４９】
上述した図４（ｅ）または図４（ｆ）に示す状態でスタートキー７１を操作することにより、調理メニューとして「ハンバーグ」が確定する。したがって、ＣＰＵ３１は、所定のプログラムに基づいて「ハンバーグ」の調理を開始する。また、図４（ｇ）または図４（ｈ）に示す状態でスタートキー７１を操作することにより、調理メニューとして「牛肉のパイ包み焼き」が確定する。したがって、ＣＰＵ３１は、所定のプログラムに基づいて「牛肉のパイ包み焼き」の調理を開始する。
【００５０】
以上説明した第２の実施形態は、第１の実施形態の効果に加えて次の効果を奏する。
表示項目は階層化されている。そのため、上位の階層にある表示項目を確定することにより、液晶表示器８０にはその表示項目の下位の階層にある表示項目が表示される。これにより、目的の調理メニューを探す場合、使用者は表示項目を上位の階層から順に確定してくことが可能となる。したがって、多くの調理メニューがある場合でも、目的とする調理メニューを容易に探し出すことができる。
【００５１】
この場合、調理メニューの分類を示す調理グループ名は、食材の種類、料理集の分類あるいは目的や効果などに分類されている。そのため、使用者は、これらの調理グループ名に基づいて任意の調理メニューを探し出すことができる。また、液晶表示器８０に最下位の階層として調理メニューが表示されているとき、第１の実施形態と同様に液晶表示器８０には選択された表示項目に対応する項目情報８５が表示される。したがって、使用者は、項目情報８５を参照して目的の調理メニューを容易に確定することができる。
【００５２】
液晶表示器８０に表示される表示項目の数が少なく、液晶表示器８０の表示領域に空きがあるとき、任意の表示項目を選択すると、すぐに液晶表示器８０の空き領域に選択された表示項目に対応する項目情報９６が表示される。そのため、表示項目が階層化されているときでも、目的の調理メニューの分類を容易に認識可能である。したがって、液晶表示器８０の表示領域の拡大を招くことなく、目的の調理メニューを容易に探し出すことができる。
【００５３】
なお、上記の複数の実施形態では、指示情報８８として、文字や画像を表示する例について説明した。しかし、指示情報８８として、例えば「焼網を下段に取り付けてください。」や「スチーム加熱を行った後、各皿を取り出し下段に焼き網を取り付けてください。」といった文章による情報を表示してもよい。
【図面の簡単な説明】
【００５４】
【図１】第１の実施形態による電子レンジの外観を示す図
【図２】第１の実施形態による電子レンジの電気的構成を示すブロック図
【図３】第１の実施形態による電子レンジの液晶表示器の表示内容を示す図。
【図４】第２の実施形態による電子レンジの液晶表示器の表示内容を示す図。
【符号の説明】
【００５５】
図面中、１０は電子レンジ（加熱調理器）、１５はレンジ調理ユニット（調理手段）、１６はグリル調理ユニット（調理手段）、１７はオーブン調理ユニット（調理手段）、１８はスチーム調理ユニット（調理手段）、３０は制御回路（情報表示手段）、６２は右摘み（項目選択手段、項目確定手段）、７１はスタートキー（調理開始指示手段）、７３はスタートスイッチ（調理開始指示手段）、８０は液晶表示器（表示手段、情報表示手段）、８２〜８４、９２〜９５、１０１〜１０６は表示項目、８５は項目情報、８６は枠表示部、８７は吹き出し、８８は指示情報を示している。
【図１】
0004960156.tif 000002
【図２】
0004960156.tif 000003
【図３】
0004960156.tif 000004
【図４】
0004960156.tif 000005